(57)【特許請求の範囲】
【請求項１】
一端部開口の周壁２の他端部を弁孔３付き底板４で閉塞した容器体１と、
上記弁孔３へ弁体６を往復動自在に挿通させ、かつ該弁体の一端部を弁頭７に、かつ他端部を弾性変形自在な操作板部８に形成して、該操作板部８と上記弁頭７とで上記底板４を挟持させたエア抜き弁５と、
上記操作板部８と上記底板４との一方に形成されたエア抜き路９とを有し、
洗眼時における容器体１の倒立状態で、上記操作板部８を弾性に抗して押下げることで、上記弁頭７が上記底板４から下方へ離間して、容器体１内の加圧空気が弁体６と弁孔３との間隙を介して上記エア抜き路９から上記容器体１外へ流出可能に設けた
ことを特徴とする洗眼容器。
【請求項２】
上記操作板部８は、内方へ弾性変形自在で、かつ周縁部を周壁底板４外面へ接触させた弾性板からなり、又上記エア抜き路９は、上記弾性板周縁部よりも内方の底板部分外面から外方の底板部分外面へ延出する流出溝からなることを特徴とする請求項１記載の洗眼容器。
【請求項３】
上記操作板部８を外方へ凸の弾性球面板で形成し、又上記弁体６の外径を弁孔３の内径とほぼ同径にして、弁孔へ摺動自在に挿通させ、かつ上記弁体６の周面に上記エア抜き路９へ連通すると共に、開弁時に容器体内へ連通可能な縦溝１０を縦設したことを特徴とする請求項１又は２記載の洗眼容器。
【発明の詳細な説明】
【０００１】
【発明の属する技術分野】
本発明は、眼の洗浄に使用する洗眼容器に関する。
【０００２】
【従来の技術】
洗眼容器としてカップ状の容器が知られている。この容器で眼を洗浄するには、顔を下に向けて容器を眼に押し当てた後、この状態で顔を上方に向けて洗浄を行う。洗浄後、再度、顔を下に向けて眼から容器を離す。
【０００３】
【発明が解決しようとする課題】
上記のような洗眼容器では、洗浄のため顔を上方へ向けた際に、容器の押し付け力が弱いと洗浄液が漏れるため、ある程度強く押し付ける必要があるが、強く押し付けると容器内の圧力が増大するため、液が漏れ易くなるという欠点があった。
【０００４】
請求項１に係る発明は、エア抜き弁を設けて、容器体内を外気圧に保持させることを目的とする。
【０００５】
請求項２に係る発明は、弁体を弾性板で付勢させて、部品点数の減少化を図ることを目的とする。
【０００６】
請求項３に係る発明は、付勢力を大にして応答性を高めると共に、弾性板の押し付けの円滑化を図ることを目的とする。
【０００７】
【課題を解決するための手段】
第１の手段として、一端部開口の周壁２の他端部を弁孔３付き底板４で閉塞した容器体１と、
上記弁孔３へ弁体６を往復動自在に挿通させ、かつ該弁体の一端部を弁頭７に、かつ他端部を弾性変形自在な操作板部８に形成して、該操作板部８と上記弁頭７とで上記底板４を挟持させたエア抜き弁５と、
上記操作板部８と上記底板４との一方に形成されたエア抜き路９とを有し、
洗眼時における容器体１の倒立状態で、上記操作板部８を弾性に抗して押下げることで、上記弁頭７が上記底板４から下方へ離間して、容器体１内の加圧空気が弁体６と弁孔３との間隙を介して上記エア抜き路９から上記容器体１外へ流出可能に設けた。
【０００８】
第２の手段として、第１の手段を有すると共に、上記操作板部８は、内方へ弾性変形自在で、かつ周縁部を周壁底板４外面へ接触させた弾性板からなり、又上記エア抜き路９は、上記弾性板周縁部よりも内方の底板部分外面から外方の底板部分外面へ延出する流出溝からなる。
【０００９】
第３の手段として、第１又は第２の手段を有すると共に、上記操作板部８を外方へ凸の弾性球面板で形成し、又上記弁体６の外径を弁孔３の内径とほぼ同径にして、弁孔へ摺動自在に挿通させ、かつ上記弁体６の周面に上記エア抜き路９へ連通すると共に、開弁時に容器体内へ連通可能な縦溝１０を縦設した。
【００１０】
【発明の実施の形態】
図１において、１は容器体で、上面開口の周壁２の下端部内面を弁孔３付き底板４で閉塞している。
５はエア抜き弁で、弁孔３へ弁体６を上下動自在に、かつ下方へ付勢させて挿通させ、かつその弁体の上端部を弁頭７に、かつ下端部を操作板部８に形成している。
９はエア抜き路で、底板４の下面側に、弁体６の上昇による開弁時に、弁体６と弁孔３との間隙を介して容器体１内へ連通可能に形成している。
【００１１】
請求項２に記載のように、操作板部８は、上方へ弾性変形自在で、かつ周縁部を底板３下面へ接触させた弾性板、好ましくは請求項３記載のように下方へ凸の球面板で形成する。このように操作板部８を弾性板で形成することにより弁体６を下方へ付勢させる。
【００１２】
また、エア抜き路９は、操作板部８を形成する弾性板周縁部よりも内方の底板４部分下面から外方の底板部分下面へ延出する流出溝で形成するのが好ましい。該流出溝の内端は弁孔３内面へ開口させてもよく、あるいは弁孔３に開口させることなく両端を閉塞させてもよい。このように通常は流出溝を底板４下面に形成するが、これに限らず操作板部８に形成することも可能である。
【００１３】
請求項３に記載のように、弁体６はその外径を弁孔３の内径とほぼ同径にして、弁孔へ摺動自在に挿通させると共に、弁体の周面に縦溝１０を縦設し、該溝を介してエア抜き路９を容器体１内へ連通可能とするのが好ましい。縦溝１０は上下両端を閉塞させてもよく、あるいは上端は閉塞させて下端を操作板部８内面へ開口させてもよい。
【００１４】
【実施例】
上面を開口させた容器体周壁２の下端部内面を底板４で閉塞し、該底板下面に両端を閉塞させた径方向の流出溝からなるエア抜き路９を周方向に所定の間隔をおいて複数形成する。底板３の中央部には弁孔３を穿設して、該弁孔に、該弁孔の内径とほぼ同径の弁体６を摺動自在に挿通させ、かつ該弁体の上端部を弁孔３よりも大径の弁頭７に形成して底板４上面へ接触させる。
【００１５】
一方、弁体６の下端部は下方へ膨出する弾性球面板による操作板部８に形成して、該操作板部の周縁を底板４下面へ接触させるが、その際エア抜き路９の一部が操作板部の周縁よりも内方に位置するように配置させる。また、弁体６の上下方向中間部に、上端を閉塞させると共に下端を操作板部８内面へ開口させた縦溝１０を周方向に所定の間隔をおいて複数縦設する。
【００１６】
次に作用について説明する。
顔を下に向けて容器体１を眼に押し当てた後、図２に示すように顔を上方へ向ける。その際、洗浄液が漏れないように容器体を眼に強く押し付ける。すると容体内で眼が占める容積の分だけ容器体容積が減少して、容器体内の空気が加圧される。
【００１７】
一方、容器体を眼に押し付けると同時に、指で操作板部８を押して、弁体６を下方へ摺動させ弁頭７を底板４から下方へ離間させる。すると縦溝１０が容器体内へ連通するため、容器体内の加圧空気が縦溝１０を通って操作板部８内面と底板４上面との間隙へ流入し、さらにここからエア抜き路９を通って容器体外部へ流出するため、容器体内は外気圧に保持される。
【００１８】
エア抜き後、操作板部８から指を離すと、操作板部は弾性力で元の形状に復帰すると共に、弁体６が上方へ摺動して、弁頭７が底板４下面へ接触し弁孔３を閉塞する。従って、洗眼後、顔を下に向けても容器体内の洗眼液が弁孔３から漏出することがない。
【００１９】
【発明の効果】
請求項１に係る発明は、容器体の底板にエア抜き弁を設けて、容器体内の加圧空気を排気可能に形成したので、眼に容器体を押し付けても容器体内の圧力が増加することがなく、このため液洩れが極力防止されると共に、眼に加圧力が作用しないため洗眼時の爽快感が倍加する。
【００２０】
請求項２に係る発明は、弁体を弾性板で付勢するため、部品点数の減少化と構成の簡素化が図れる。
請求項３に係る発明は、弾性板を球面板で形成するため、付勢力を大にして応答性を高めることができると共に、弁体を弁孔とほぼ同径にしたので、弾性板の押し付けが円滑に行える。
【図面の簡単な説明】
【図１】本発明に係る洗顔容器の半断面図。
【図２】同じく、作用説明図。
【符号の説明】
１  容器体
２  周壁
３  弁孔
４  底板
５  エア抜き弁
６  弁体
７  弁頭
８  操作板部
９  エア抜き路
１０  縦溝
【図１】
0004203936.tif 000002
【図２】
0004203936.tif 000003